(57)【要約】【課題】複数の設定項目からなる機能を設定する際に、数字キーを用いた簡単な設定操作を可能とする。【解決手段】選択項目抽出部は、予め格納されている複数の設定項目リストの中から８つの設定項目を選択項目リストとして抽出する。表示制御部は、抽出された８つの設定項目をテンキー６１の数字に対応させ、選択項目表示リスト７２として画像形成装置の表示パネル内に表示する。通常のタッチパネル操作およびテンキー６１の操作のいずれによっても設定項目の選択が可能となる。また、表示パネル内の表示内容は、テンキー６１の操作に連動して変化する。【選択図】図８
2009104499.tif 000002
【特許請求の範囲】
【請求項１】
複数の数字に対応したキーにより構成される数字キーと、
機能を設定するための画面を表示するとともに、前記画面への操作位置を検出する表示操作検出手段と、
処理の機能を設定するための複数の設定項目からなる設定項目リストを格納する格納手段と、
前記格納手段に格納されている設定項目リストの中から予め定められた項目数の設定項目を選択項目リストとして抽出する抽出手段と、
前記抽出手段により抽出された選択項目リストを番号に対応付けて前記表示操作検出手段に表示させる表示制御手段と、
前記表示操作検出手段により検出された位置に対応する設定項目および押下された前記数字キーの番号に対応する設定項目の機能設定を行う機能設定手段と、
を有する機能設定装置。
【請求項２】
複数の数字に対応したキーにより構成される数字キーと、
機能を設定するための画面を表示するとともに、前記画面への操作位置を検出する表示操作検出手段と、
画像処理の機能を設定するための複数の設定項目からなる設定項目リストを格納する格納手段と、
前記格納手段に格納されている設定項目リストの中から予め定められた項目数の設定項目を選択項目リストとして抽出する抽出手段と、
前記抽出手段により抽出された選択項目リストを番号に対応付けて前記表示操作検出手段に表示させる表示制御手段と、
前記表示操作検出手段により検出された位置に対応する設定項目および押下された前記数字キーの番号に対応する設定項目の機能設定を行う機能設定手段と、
を有する画像形成装置。
【請求項３】
前記抽出手段により選択項目リストとして抽出される設定項目リストの順序を設定するための順序設定手段をさらに有する請求項２記載の画像形成装置。
【請求項４】
前記抽出手段が設定項目リストの中から選択項目リストとして抽出する項目数が８以下である請求項２または３記載の画像形成装置。
【請求項５】
複数の数字に対応したキーにより構成される数字キーと、
機能を設定するための画面を表示するとともに、前記画面への操作位置を検出する表示操作検出手段と、
画像処理の機能を設定するための複数の設定項目からなる設定項目リストを格納する格納手段と、
前記格納手段に格納されている設定項目リストが選択される順序を設定するための順序設定手段と、
前記順序設定手段により選択順序が設定された設定項目リストの中から予め定められた項目数だけ選択された選択項目リストを番号に対応付けて前記表示操作検出手段に表示させる表示制御手段と、
前記表示操作検出手段により検出された位置に対応する設定項目および押下された前記数字キーの番号に対応する設定項目の機能設定を行う機能設定手段と、
を有する画像形成装置。
【請求項６】
前記表示制御手段により前記表示操作検出手段に表示される選択項目リストの項目数が８以下である請求項５記載の画像形成装置。
【請求項７】
前記表示制御手段は、前記数字キーの押下に連動して前記表示操作検出手段に表示させる設定項目の内容を変化させる請求項２から６のいずれか１項記載の画像形成装置。
【請求項８】
画像処理の機能を設定するための複数の設定項目からなる設定項目リストが選択される順序を設定するステップと、
選択する順序が設定された前記設定項目リストの中から予め定められた項目数の設定項目を選択項目リストとして抽出するステップと、
抽出された前記選択項目リストを番号に対応付けて表示装置に表示させるステップと、
表示装置に接触した物体の位置に対応する設定項目および押下された数字キーの番号に対応する設定項目の機能設定を行うステップとをコンピュータに実行させるためのプログラム。
【請求項９】
画像処理の機能を設定するための複数の設定項目からなる設定項目リストが選択される順序を設定するステップと、
選択する順序が設定された前記設定項目リストの中から予め定められた項目数だけ選択された選択項目リストを番号に対応付けて表示装置に表示させるステップと、
表示装置に接触した物体の位置に対応する設定項目および押下された数字キーの番号に対応する設定項目の機能設定を行うステップとをコンピュータに実行させるためのプログラム。
【発明の詳細な説明】
【技術分野】
【０００１】
本発明は、機能設定装置、画像形成装置およびプログラムに関する。
【背景技術】
【０００２】
特許文献１には、各機能メニューの項目に対して番号を割り付けておき、この番号を入力することによって該当する機能の設定画面を開いたり、条件の設定を行うことが開示されている。
【０００３】
特許文献２には、各メニューを、各メニューの階層位置を表す番号と対応付けておくことで、設定したい機能に対応付けられた番号を入力することにより設定したい機能を選択することが開示されている。
【０００４】
【特許文献１】特開２００３−２１９８６号公報
【特許文献２】特開２００３−３２３０８１号公報
【発明の開示】
【発明が解決しようとする課題】
【０００５】
本発明は、複数の設定項目からなる機能を設定する際に、数字キーを用いた簡単な設定操作が可能な機能設定装置、画像形成装置およびプログラムを提供することを目的とする。
【課題を解決するための手段】
【０００６】
［機能設定装置］
請求項１に係る本発明は、複数の数字に対応したキーにより構成される数字キーと、
機能を設定するための画面を表示するとともに、前記画面への操作位置を検出する表示操作検出手段と、
処理の機能を設定するための複数の設定項目からなる設定項目リストを格納する格納手段と、
前記格納手段に格納されている設定項目リストの中から予め定められた項目数の設定項目を選択項目リストとして抽出する抽出手段と、
前記抽出手段により抽出された選択項目リストを番号に対応付けて前記表示操作検出手段に表示させる表示制御手段と、
前記表示操作検出手段により検出された位置に対応する設定項目および押下された前記数字キーの番号に対応する設定項目の機能設定を行う機能設定手段とを有する機能設定装置である。
【０００７】
［画像形成装置］
請求項２に係る本発明は、複数の数字に対応したキーにより構成される数字キーと、
機能を設定するための画面を表示するとともに、前記画面への操作位置を検出する表示操作検出手段と、
画像処理の機能を設定するための複数の設定項目からなる設定項目リストを格納する格納手段と、
前記格納手段に格納されている設定項目リストの中から予め定められた項目数の設定項目を選択項目リストとして抽出する抽出手段と、
前記抽出手段により抽出された選択項目リストを番号に対応付けて前記表示操作検出手段に表示させる表示制御手段と、
前記表示操作検出手段により検出された位置に対応する設定項目および押下された前記数字キーの番号に対応する設定項目の機能設定を行う機能設定手段とを有する画像形成装置である。
【０００８】
請求項３に係る本発明は、前記抽出手段により選択項目リストとして抽出される設定項目リストの順序を設定するための順序設定手段をさらに有する請求項２記載の画像形成装置である。
【０００９】
請求項４に係る本発明は、前記抽出手段が設定項目リストの中から選択項目リストとして抽出する項目数が８以下である請求項２または３記載の画像形成装置である。
【００１０】
請求項５に係る本発明は、複数の数字に対応したキーにより構成される数字キーと、
機能を設定するための画面を表示するとともに、前記画面への操作位置を検出する表示操作検出手段と、
画像処理の機能を設定するための複数の設定項目からなる設定項目リストを格納する格納手段と、
前記格納手段に格納されている設定項目リストが選択される順序を設定するための順序設定手段と、
前記順序設定手段により選択順序が設定された設定項目リストの中から予め定められた項目数だけ選択された選択項目リストを番号に対応付けて前記表示操作検出手段に表示させる表示制御手段と、
前記表示操作検出手段により検出された位置に対応する設定項目および押下された前記数字キーの番号に対応する設定項目の機能設定を行う機能設定手段とを有する画像形成装置である。
【００１１】
請求項６に係る本発明は、前記表示制御手段により前記表示操作検出手段に表示される選択項目リストの項目数が８以下である請求項５記載の画像形成装置である。
【００１２】
請求項７に係る本発明は、前記表示制御手段は、前記数字キーの押下に連動して前記表示操作検出手段に表示させる設定項目の内容を変化させる請求項２から６のいずれか１項記載の画像形成装置である。
【００１３】
［プログラム］
請求項８に係る本発明は、画像処理の機能を設定するための複数の設定項目からなる設定項目リストが選択される順序を設定するステップと、
選択する順序が設定された前記設定項目リストの中から予め定められた項目数の設定項目を選択項目リストとして抽出するステップと、
抽出された前記選択項目リストを番号に対応付けて表示装置に表示させるステップと、
表示装置に接触した物体の位置に対応する設定項目および押下された数字キーの番号に対応する設定項目の機能設定を行うステップとをコンピュータに実行させるためのプログラムである。
【００１４】
請求項９に係る本発明は、画像処理の機能を設定するための複数の設定項目からなる設定項目リストが選択される順序を設定するステップと、
選択する順序が設定された前記設定項目リストの中から予め定められた項目数だけ選択された選択項目リストを番号に対応付けて表示装置に表示させるステップと、
表示装置に接触した物体の位置に対応する設定項目および押下された数字キーの番号に対応する設定項目の機能設定を行うステップとをコンピュータに実行させるためのプログラムである。
【発明の効果】
【００１５】
請求項１に係る本発明によれば、本発明を採用しない場合と比較して、複数の設定項目からなる機能を設定する際に、数字キーを用いた簡単な設定操作が可能な機能設定装置を提供することができる。
【００１６】
請求項２に係る本発明によれば、本発明を採用しない場合と比較して、複数の設定項目からなる機能を設定する際に、数字キーを用いた簡単な設定操作が可能な画像形成装置を提供することができる。
【００１７】
請求項３に係る本発明によれば、請求項２に係る発明により得られる効果に加えて、頻繁に変更を行うことが予想される設定項目が選択項目リストに含まれるようにすることが可能な画像形成装置を提供することができる。
【００１８】
請求項４に係る本発明によれば、請求項２または３に係る発明により得られる効果に加えて、数字キーに対する１回の操作のみで選択する設定項目を確定することが可能な画像形成装置を提供することができる。
【００１９】
請求項５に係る本発明によれば、複数の設定項目からなる機能を設定する際に、数字キーを用いた簡単な設定操作が可能な画像形成装置を提供することができる。
【００２０】
請求項６に係る本発明によれば、請求項５に係る発明により得られる効果に加えて、数字キーに対する１回の操作のみで選択する設定項目を確定することが可能な画像形成装置を提供することができる。
【００２１】
請求項７に係る本発明によれば、請求項２から６のいずれか１項に係る発明により得られる効果に加えて、表示操作検出手段に表示させる設定項目の内容を数字キーの押下に連動して変化させることが可能な画像形成装置を提供することができる。
【００２２】
請求項８に係る本発明によれば、複数の設定項目からなる機能を設定する際に、数字キーを用いた簡単な設定操作が可能なプログラムを提供することができる。
【００２３】
請求項９に係る本発明によれば、複数の設定項目からなる機能を設定する際に、数字キーを用いた簡単な設定操作が可能なプログラムを提供することができる。
【発明を実施するための最良の形態】
【００２４】
次に、本発明の実施の形態について図面を参照して詳細に説明する。
図１は本発明の一実施形態の画像形成システムの構成を示すブロック図である。
【００２５】
本発明の一実施形態の画像形成システムは、図１に示されるように、ネットワーク３０により相互に接続された画像形成装置１０、および端末装置２０により構成される。端末装置２０は、印刷データを生成して、ネットワーク３０経由にて生成した印刷データを画像形成装置１０に対して送信する。画像形成装置１０は、端末装置２０から送信された印刷データを受け付けて、印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００２６】
次に、本実施形態の画像形成システムにおける画像形成装置１０のハードウェア構成を図２に示す。
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００２７】
ＣＰＵ１１は、メモリ１２または記憶装置１３に格納された制御プログラムに基づいて所定の処理を実行して、画像形成装置１０の動作を制御する。
なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２８】
図３は、上記の制御プログラムが実行されることにより実現される画像形成装置１０の機能構成を示すブロック図である。
本実施形態の画像形成装置１０は、図３に示されるように、表示パネル３１と、表示制御部３２と、選択項目抽出部３３と、設定項目リスト格納部３４と、設定項目リスト順序設定部３５と、タッチパネルセンサ３６と、機能設定部３７と、テンキー（数字キー）６１とを備えている。
【００２９】
テンキー６１は、０〜９の１０個の数字に対応したキーおよび「＊」、「＃」という文字に対応したキーにより構成されている。
【００３０】
表示パネル３１は、表示制御部３２による制御に基づいて、機能を設定するための画面を表示する。設定項目リスト格納部３４は、複数の設定項目からなる設定項目リストを格納する。
【００３１】
選択項目抽出部３３は、設定項目リスト格納部３４に格納されている設定項目リストの中から予め定められた項目数の設定項目を選択項目リストとして抽出する。本実施形態においては、選択項目リスト抽出部３３は、設定項目リストの中から選択項目リストとして抽出する項目数を８以下とする。
【００３２】
例えば、図４に示すような設定項目リスト４１が設定項目リスト格納部３４に格納されている場合、選択項目リスト抽出部３３は、８つの設定項目を選択項目リスト４２として抽出する。
【００３３】
設定項目リスト順序設定部３５は、図５に示すように、設定項目リスト格納部３４に格納されている設定項目リスト４１が選択される順序を設定する。つまり、ユーザは、設定項目リスト４１の並び順序をカスタマイズすることにより頻繁に設定を変更する設定項目を上位の順番に設定することができる。
【００３４】
設定項目リスト順序設定部３５が設定項目リストの選択順序を変更するための方法としては、対象の設定項目の順序を１つずつ繰り上げるような、いわゆるバブルソートと呼ばれる方法や、直接指定する順序に割り込ませる方法等を用いることができる。
【００３５】
図５に示した例は、「サンプルコピー」という設定項目の並び順序を上位から４番目に設定するようにした例であり、このような順序設定とすることにより、選択項目抽出部３３により最初に抽出される選択項目リスト中に「サンプルコピー」という設定項目が含まれるようになる。
【００３６】
なお、図５では、選択項目抽出部３３は、設定項目リスト格納部３４に格納されている設定項目リスト４１のうち順序が上位の設定項目から順に８項目ずつ抽出する場合を示しているが、予め設定された抽出順序に基づいて設定項目を抽出するようにしてもよい。この場合には、設定項目リスト順序設定部３５は、選択項目リスト抽出部３３により選択項目リストとして抽出される設定項目リストの順序を設定する。
【００３７】
表示制御部３２は、選択項目リスト抽出部３３により抽出された選択項目リストを番号に対応付けて表示パネル３１に表示させる。また、表示制御部３２は、テンキー６１の押下に連動して表示パネル３１に表示させる設定項目の内容を変化させる。
【００３８】
タッチパネルセンサ３６は、ユーザの指先等の物体が表示パネル３１の画面に接触した場合、この画面への操作位置を検出する。そして、タッチパネルセンサ３６と表示パネル３１とにより表示操作検出手段が構成される。
【００３９】
機能設定部３７は、タッチパネルセンサ３６により検出された位置に対応する設定項目および押下されたテンキー６１の番号に対応する設定項目の機能設定を行う。
【００４０】
次に、本実施形態の画像形成装置１０の表示パネル３１に表示される内容の具体例を図面を参照して説明する。
【００４１】
先ず画像形成装置１０の初期状態において表示パネル３１内に表示される表示例を図６に示す。
図６に示す例では、表示パネル３１中にメニューボタン５１が表示されている。また、ハードキーであるテンキー６１が表示パネル３１とは別の場所に設置されている。ユーザがこのメニューボタン５１に指を触れると、メニューボタン５１への接触がタッチパネルセンサ３６により検出され、図７に示すように、選択項目リスト表示７１が表示パネル３１中に表示されるようになる。
【００４２】
この図７に示す例では、画像形成装置１０の機能を選択するための表示であるため４つの項目しか表示されていないが、選択項目リスト表示７１には８つの項目の表示が可能となっている。
【００４３】
なお、図６に示した例では、メニューボタン５１を押下することにより選択項目リスト表示７１を表示パネル３１に表示するようにしていたが、例えば、「＊」キーと「＃」キーの同時押しや、特定の操作キーの長押し等により選択項目リスト７１が表示パネル中３１に表示されるようにしてもよい。
【００４４】
そして、図７に示す表示例において、コピー機能を使用しようとしたユーザがテンキー６１の「１」ボタンを押下すると、図８に示すような表示内容が表示パネル３１中に表示される。
【００４５】
図８では、図４に示した設定項目リスト４１における上位８項目分の設定項目が選択項目リスト４２として抽出されて選択項目リスト表示７２として表示された例が示されている。
【００４６】
なお、この選択項目リスト表示７２では８項目分の設定項目のみが抽出されて表示されているが、この８項目を１ページとして、テンキー６１の「９」を押下することにより前ページが表示され、「０」を押下することにより次ページが表示される。
【００４７】
例えば、図４に示すような選択順序により設定項目リスト４１が用意されている場合、「０」が押下されることにより、選択項目リスト表示７２の表示内容は、「ブック両面    １」、「原稿サイズ    ２」、・・・・、「複製管理    ８」という表示内容に切り替わる。また、この状態において「９」が押下されることにより、選択項目リスト表示７２の表示内容は元の表示内容に戻ることになる。
【００４８】
この図８に示した表示例において、ユーザが倍率の設定を変更しようとした場合、テンキー６１の「２」を押下することにより図９に示されるよう表示が行われるようになる。図９に示す例では、選択項目リスト表示７２の横に、さらに下位の設定項目を表示するための選択項目リスト表示７３が表示されている。
【００４９】
そして、図９に示した表示例において、ユーザが独立変倍の設定を行おうとしてテンキー６１の「７」を押下すると、図１０に示すような表示が行われる。
【００５０】
図１０に示した表示例では、独立変倍の設定を行うためのさらに下記の選択項目リスト表示７４が表示されている。この図１０に示すような表示画面において、縦方向の倍率を設定しようとしたユーザがテンキー６１の「１」を押下すると、図１１に示すような縦方向の倍率を設定するための画面が表示されることとなる。
【００５１】
このように、本実施形態の画像形成装置１０では、選択項目リスト表示を表示するためのメニュー画面選択をテンキー６１により行うようにすれば、表示パネル３１をタッチすることによるタッチパネル操作を行うことなく、テンキー６１の操作のみで様々な機能設定ができる。
【００５２】
なお、テンキー６１の操作に伴い表示パネル３１内の表示内容も連動して切り替わるため、表示パネル３１の表示内容を直接触ることによるタッチパネル操作による設定機能の選択も可能である。そのため、ユーザは、テンキー６１による操作とタッチパネル操作のうち、操作し易い方法により変更しようとする設定機能を選択するようにすることが可能である。
【００５３】
例えば、図６〜図１１に示した操作に加えて縦方向、横方向の倍率の設定を全てテンキー６１の操作により行った場合の例を図１２に示す。
【００５４】
図１２に示した操作方法では、先ず、テンキー６１の「＃」、「＊」を同時押しすることによりメニュー画面表示を選択して、選択項目リストを表示させる。その後、テンキー６１の「１」を押下してコピー機能を選択し、「２」を押下して倍率の設定を選択する。さらにテンキー６１の「７」を押下して独立変倍を選択し、「１」を押下して縦方向の倍率の設定を選択し、続けて「１」、「４」、「１」を押下することにより倍率を１４１％に設定する。さらに、「２」を押下して横方向の倍率の設定を選択し、続けて「８」、「６」を押下することにより倍率を８６％に設定する。最後に、テンキー６１の「３」を押下することにより元の画面表示に戻る。
【００５５】
[変形例]
なお、上記実施形態では、テンキー６１の「９」を前ページの選択に割り当て、「０」を次ページの選択に割り当てているため選択項目リスト表示７２内に表示する項目数を８としていたが本発明はこのような場合に限定されるものではない。例えば、前ページの選択や次ページの選択を他の操作ボタンに割当てるようにすれば、選択項目リスト表示７２内に表示する項目数を８以外の９または１０とするようにしても、テンキー６１の１回の操作で選択結果を確定することができる。
【００５６】
さらに、上記実施形態では、画像形成装置１０に対する機能設定を行う場合を用いて説明しているが、本発明は、画像形成装置１０以外の他の装置に対する機能設定を行う機能設定装置に対しても同様に適用可能である。
【図面の簡単な説明】
【００５７】
【図１】本発明の一実施形態の画像形成システムの構成を示す図である。
【図２】本発明の一実施形態の画像形成装置１０のハードウェア構成を示すブロック図である。
【図３】本発明の一実施形態の画像形成装置１０の機能構成を示すブロック図である。
【図４】選択項目リスト格納部３４に格納される設定項目リスト４１および選択項目リスト抽出部３３により抽出される選択項目リスト４２の一例を示す図である。
【図５】設定項目リスト順序設定部３５による設定項目リストの並び替え処理を説明するための図である。
【図６】本発明の一実施形態における画像形成装置１０の表示パネル３１内に表示される表示例示す図である。
【図７】本発明の一実施形態における画像形成装置１０の表示パネル３１内に表示される表示例示す図である。
【図８】本発明の一実施形態における画像形成装置１０の表示パネル３１内に表示される表示例示す図である。
【図９】本発明の一実施形態における画像形成装置１０の表示パネル３１内に表示される表示例示す図である。
【図１０】本発明の一実施形態における画像形成装置１０の表示パネル３１内に表示される表示例示す図である。
【図１１】本発明の一実施形態における画像形成装置１０の表示パネル３１内に表示される表示例示す図である。
【図１２】本発明の一実施形態の画像形成装置１０における操作例を説明するための図である。
【符号の説明】
【００５８】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
３１    表示パネル
３２    表示制御部
３３    選択項目抽出部
３４    設定項目リスト格納部
３５    設定項目リスト順序設定部
３６    タッチパネルセンサ
３７    機能設定部
４１    設定項目リスト
４２    選択項目リスト
５１    メニューボタン
６１    テンキー
７１〜７４    選択項目リスト表示
【図１】
2009104499.tif 000003
【図２】
2009104499.tif 000004
【図３】
2009104499.tif 000005
【図４】
2009104499.tif 000006
【図５】
2009104499.tif 000007
【図６】
2009104499.tif 000008
【図７】
2009104499.tif 000009
【図８】
2009104499.tif 000010
【図９】
2009104499.tif 000011
【図１０】
2009104499.tif 000012
【図１１】
2009104499.tif 000013
【図１２】
2009104499.tif 000014